(57)【要約】【課題】携帯に便利な携帯電話を用いてユーザーＩＤによりロッカーボックスを解錠できるようにしながら、荷物の取り出しを別の人に委託できるようにする。【解決手段】携帯電話機（Ａ），（Ｂ）にサーバ２０からロッカー利用アプリをダウンロードする。携帯電話機（Ａ）にその携帯電話機（Ａ）に固有のユーザーＩＤを設定し、携帯電話機（Ｂ）にその携帯電話機（Ｂ）に固有のユーザーＩＤを設定する。荷物を預けると、集中制御装置１で解錠番号、ボックス番号を携帯電話機（Ａ）に送信する。電子メールで携帯電話機（Ａ）から携帯電話機（Ｂ）にメール転送フラグを付加した解錠番号とボックス番号を送信する。ユーザーＩＤが一致しなければ、解錠番号にメール転送フラグが付加されているときのみ解錠する。【選択図】図４
2005314945.tif 000002
【特許請求の範囲】
【請求項１】
ロッカーボックスの施解錠を制御する制御手段と携帯端末装置とによりロッカーボックスの使用を可能にした貸しロッカーシステムであって、
前記制御手段は、前記携帯端末装置に設定されたＩＤコードを読み取って、使用するロッカーボックスに固有の解錠コードを該携帯端末装置に設定するとともに、該ロッカーボックスのボックスＩＤと解錠コードと該ＩＤコードとを対応させて記憶し、
前記携帯端末装置が当該携帯端末装置のＩＤコードと前記解錠コードとを制御手段に送信し、前記制御手段が受信したＩＤコードを確認するとともに、該解錠コードに基づいて該解錠コードに対応するボックスＩＤのロッカーボックスを解錠することを特徴とする貸しロッカーシステム。
【請求項２】
前記携帯端末装置は、当該携帯端末装置に設定された解錠コードを転送フラグを付加して他の携帯端末装置に対して送信する機能を有し、
前記制御手段は、携帯端末装置から受信したＩＤコードと解錠コードに前記転送フラグが付加されている場合は、該受信したＩＤコードを無視して該解錠コードに対応するボックスＩＤのロッカーボックスを解錠することを特徴とする請求項１に記載の貸しロッカーシステム。
【請求項３】
前記携帯端末装置が携帯電話機であることを特徴とする請求項１または２に記載の貸しロッカーシステム。
【発明の詳細な説明】
【技術分野】
【０００１】
本発明は、例えば駅構内に設置され、複数の利用者にロッカーボックスを利用可能とした貸しロッカーシステムに関する。
【背景技術】
【０００２】
従来、ロッカーシステムとして、特開２００１−３２５６６０号公報、特開２００３−９０１５６号公報に携帯電話を用いてロッカー装置を利用できるようにしたものが開示されている。特開２００１−３２５６６０号公報のものは、携帯電話機でロッカー装置の空き状態などの情報を確認でき、利用料金を携帯電話機の電話番号に対して課金し、さらにその電話番号を照合することで解錠できるようにしている。また、特開２００３−９０１５６号公報のものは、携帯電話（携帯端末）についての決済機関等により決済を行うことで、管理者等が人手により利用料金の回収を行わなくてもよいようにしている。このように携帯電話機を用いてロッカーボックスの解錠等を行えるようにすると、通常は料金精算が簡単になる。
【特許文献１】特開２００１−３２５６６０号公報
【特許文献２】特開２００３−９０１５６号公報
【発明の開示】
【発明が解決しようとする課題】
【０００３】
しかし、特開２００１−３２５６６０号公報のものは、解錠時のＩＤ情報として携帯電話機の電話番号や暗証番号等を用いているが、いずれにしてもコントロールパネルで携帯電話機の電話番号を確認できなければ、解錠することができない。また、特開２００３−９０１５６号公報のものは、携帯電話機の電話番号や機器のシリアル番号などの利用者ＩＤ及び利用者パスワードを認証してロッカーの解錠を行うようにしているので、この利用者ＩＤを受信できなければ解錠できない。
【０００４】
ところで、貸しロッカーに荷物を預け入れた人が、不測の事態で荷物を取り出しにいけなくなる場合もある。このような場合、荷物の取り出しを別の人に委託すればよいが、従来の方法では個々の携帯電話機の電話番号でなければ解錠できないので、自分の携帯電話機をその人に渡さなければならず、特に離れた場所の人に委託することは困難である。また、ロッカーを利用して荷物を別の人に渡すようなことも困難である。
【０００５】
本発明は、携帯電話機等の携帯端末装置を利用して、貸しロッカーで利用者の意思により別の人でも容易に荷物の取り出しができるようにし、利便性の高い貸しロッカーシステムを提供することを課題とする。
【課題を解決するための手段】
【０００６】
請求項１の貸しロッカーシステムは、ロッカーボックスの施解錠を制御する制御手段と携帯端末装置とによりロッカーボックスの使用を可能にした貸しロッカーシステムであって、前記制御手段は、前記携帯端末装置に設定されたＩＤコードを読み取って、使用するロッカーボックスに固有の解錠コードを該携帯端末装置に設定するとともに、該ロッカーボックスのボックスＩＤと解錠コードと該ＩＤコードとを対応させて記憶し、前記携帯端末装置が当該携帯端末装置のＩＤコードと前記解錠コードとを制御手段に送信し、前記制御手段が受信したＩＤコードを確認するとともに、該解錠コードに基づいて該解錠コードに対応するボックスＩＤのロッカーボックスを解錠することを特徴とする。
【０００７】
請求項２の貸しロッカーシステムは、請求項１に記載の貸しロッカーシステムであって、前記携帯端末装置は、当該携帯端末装置に設定された解錠コードを転送フラグを付加して他の携帯端末装置に対して送信する機能を有し、前記制御手段は、携帯端末装置から受信したＩＤコードと解錠コードに前記転送フラグが付加されている場合は、該受信したＩＤコードを無視して該解錠コードに対応するボックスＩＤのロッカーボックスを解錠することを特徴とする。
【０００８】
請求項３の貸しロッカーシステムは、請求項１または２に記載の貸しロッカーシステムであって、前記携帯端末装置が携帯電話機であることを特徴とする。
【発明の効果】
【０００９】
請求項１の貸しロッカーシステムによれば、ロッカーボックスを解錠するための解錠コードは制御手段が設定するものであって、携帯電話機などの携帯端末装置に固有のＩＤコードではないので、この解錠コードを携帯端末装置同士で送受信することができる。また、制御手段が解錠制御時にこの解錠コードを確認するとき、解錠コードが送受信されたものか否かなどを判定して、解錠して良いか否かを判断する制御も簡単になる。したがって、利用者が別の人に解錠コードを送信することで、利用者の意思により別の人でも容易に荷物の取り出しができるようになり、利便性が高くなる。
【００１０】
請求項２の貸しロッカーシステムによれば、請求項１と同様な効果が得られるとともに、制御手段は、解錠コードに転送フラグが付加されていない場合はＩＤコードを確認して解錠コードによりロッカーボックスを解錠し、解錠コードに転送フラグが付加されている場合にはＩＤコードを無視して解錠コードによりロッカーボックスを解錠するので、通常はＩＤコードを確認して解錠するので解錠制御がより確実になる。
【００１１】
請求項３の貸しロッカーシステムによれば、請求項１または２と同様な効果が得られるとともに、携帯端末手段として携帯電話機を用いると、近年広く普及している携帯電話機でロッカーボックスを使用できるので、利用者が利用し易くなる。
【発明を実施するための最良の形態】
【００１２】
次に、本発明の貸しロッカーシステムの実施形態を図面を参照して説明する。図１は本発明の実施形態の貸しロッカーシステムの外観正面図である。このシステムは集中制御装置１とその両側にそれぞれ複数のロッカーボックス２を配置したものである。集中制御装置１の内部には、レシートや領収書を発行するためのプリンタ１１、タッチパネル付きＬＣＤ表示器１２、非接触ＩＣカードＣからの電波を受信するカードリーダ１３、携帯電話機Ｔからの赤外線を受信する赤外線モジュール１４、紙幣の鑑別を行う紙幣鑑別機１５、硬貨の識別を行う検銭機１６が配設されている。
【００１３】
集中制御装置１のパネル面には、プリンタ１１からレシートや領収書を排出するためのレシート出口１１ａ、ＬＣＤ表示器１２の表示窓となる操作表示部１２ａ、カードリーダ１３で電波の送受信を行うアンテナ部１３ａ、赤外線モジュール１４で赤外線を受信する赤外線受信部１４ａ、紙幣鑑別機１５に紙幣を投入するための紙幣投入口１５ａ、検銭機１６に硬貨を投入するための硬貨投入口１６ａ、検銭機１６から硬貨を返却するための硬貨返却口１６ｂ、及び硬貨返却レバー１７が配設されている。
【００１４】
また、各ロッカーボックス２は、ロッカー扉２ａの内部に集中制御装置１からの制御信号に基づいてロッカー扉２ａを施解錠する錠装置２１、ロッカー扉２ａの開閉状態を検出する扉開閉スイッチ２２、錠装置２１側の框部に配設された施錠スイッチ２３、施錠スイッチ２３の上部に配設された施錠確認用ＬＥＤ２４、ロッカー２ａの錠装置２１の近傍に配設された状態表示用ＬＥＤ２５をそれぞれ備えている。
【００１５】
図２は集中制御装置１の要部ブロック図である。集中制御装置１はマイクロコンピュータで構成された制御ユニット１０と電源１０Ａを備えており、制御ユニット１０にはプリンタ１１、ＬＣＤ表示器１２、カードリーダ１３、赤外線モジュール１４、紙幣鑑別機１５、検銭機１６、各ロッカーボックス２の各錠装置２１が接続されている。また、錠装置２１には図示しない基板を介して、扉開閉スイッチ２２、施錠スイッチ２３、施錠確認用ＬＥＤ２４、状態表示用ＬＥＤ２５がそれぞれ接続されている。制御ユニット１０は、プリンタ１１への印字データの出力、ＬＣＤ表示器１２への表示データの出力と操作状態の検出を行う。また、制御ユニット１０は、カードリーダ１３、赤外線モジュール１４、紙幣鑑別機１５及び検銭機１６からのデータの入力や紙幣や硬貨の鑑別状態を検出する。さらに、制御ユニット１０は、錠装置２１を介して、扉開閉スイッチ２２、施錠スイッチ２３の操作状態を検出するとともに、施錠確認用ＬＥＤ２４、状態表示用ＬＥＤ２５の駆動制御を行う。そして、制御ユニット１０は後述の制御プログラムに基づいてロッカーシステムの制御を行う。
【００１６】
図３は実施形態の携帯電話機Ｔ及び非接触ＩＣカードＣを用いる場合の通信システムを概念的に示す要部ブロック図である。携帯電話機Ｔには、所定のダウンロード用ＷＥＢサーバ２０から予め通信用のアプリケーション（以後、「ロッカー利用アプリ」ともいう。）をダウンロードしておく。このアプリケーションのダウンロード時に、この携帯電話機Ｔに対して固有のユーザーＩＤ（請求項の「ＩＤコード」に対応する）が設定される。そして、携帯電話機Ｔはこのアプリケーションにより集中制御装置１との間で赤外線通信を行う。また、非接触ＩＣカードＣは制御ユニット１０の前記カードリーダ１３からの特定の電波を受信して起動し、予め記憶されているＩＤコードを送信する。
【００１７】
この実施形態では、操作表示部１２ａを操作して操作形態の異なる第１〜第３モードを選択することができるることができる。第１モードでは現金投入による施錠及び暗証番号の発行を行い、暗証番号による解錠を行う。第２モードでは携帯電話機ＴとそのユーザーＩＤにより施錠及び解錠を行う。第３モードでは非接触ＩＣカードＣとそのＩＤコードにより施錠及び解錠を行う。
【００１８】
第２モードで利用するときには、利用に先だって、集中制御装置１の操作表示部１２ａで「チャージ」のモードを選択して電子的な現金（電子現金）をチャージ（蓄積）しておく。すなわち、硬貨投入口１６ａから硬貨（例えば１００円硬貨）を投入するか、紙幣投入口１５ａから紙幣を投入し、携帯電話機Ｔで集中制御装置１と赤外線による通信を行い、所定の操作を行って、この携帯電話機Ｔの記憶領域に電子現金としてチャージする。この際、集中制御装置１は投入金額を回収して、携帯電話機Ｔにその投入金額相当の電子現金を示すチャージデータを書き込む。なお、このチャージデータは携帯電話機Ｔの単独の操作で変更することはできないように設定されている。そして、この第２モードでは、携帯電話機Ｔにチャージした電子現金で利用料金を支払ったり、現金投入により利用することができる。また、投入現金の釣り銭をチャージすることもできる。
【００１９】
以下、各モードにおける操作方法と装置の動作を説明する。なお、ロッカーボックス２が空き状態（非使用状態）のときは、錠装置２１は解錠状態で状態表示用ＬＥＤ２５が緑色に点灯されている。また、操作表示部１２ａの初期画面には「預け入れ」、「取り出し」、「チャージ」等の表示が行われており、利用者は、操作表示部１２ａのタッチパネルを操作して、所望の処理を選択する。「預け入れ」を選択し、空き状態のロッカーボックス２に荷物を収納してロッカー扉２ａを閉めると、施錠確認用ＬＥＤ２４が橙色で点滅するので、施錠スイッチ２３を押す。これにより、錠装置２１は仮施錠される。このとき、他に利用者が操作していなければ、施錠確認用ＬＥＤ２４が消灯するとともに状態表示用ＬＥＤ２５を赤色で点滅する。そして、操作表示部１２ａには、「暗証番号」、「携帯電話」、「ＩＣカード」の表示によりモードを選択するように案内が表示されるので、操作表示部１２ａのタッチパネルを操作してモードを選択する。
【００２０】
第１モード（暗証番号）：利用者が「預け入れ」を選択して荷物の投入及び施錠スイッチ２３を押し、「暗証番号」を選択する。これにより、操作表示部１２ａに利用料金（金額）と利用料金を投入するように案内する表示が行われる。硬貨投入口１６ａから硬貨（例えば１００円硬貨）を投入するか、紙幣投入口１５ａから紙幣を投入すると錠装置２１が施錠され、状態表示用ＬＥＤ２５が赤色の点灯に変わり、レシートと領収書が発行される。このレシートには、解錠用の例えば６桁の暗証番号が印刷されている。
【００２１】
解錠操作をするときは、操作表示部１２ａの初期画面で「取り出し」を選択するとともに、次の画面で「暗証番号」を選択する。そして、操作表示部１２ａから暗証番号を入力すると、所定の利用時間内であれば錠装置２１が解錠されて、状態表示用ＬＥＤ２５が赤の点滅となる。時間超過による追加料金が発生している場合には、暗証番号を入力した後、操作表示部１２ａに追加の料金投入を案内する表示が行われる。そして、追加の料金を硬貨投入口１６ａあるいは紙幣投入口１５ａから投入すると、プリンタ１１によりレシート及び領収書が発行されるとともに、錠装置２１が解錠され、状態表示用ＬＥＤ２５が赤の点滅となる。後は上記同様に荷物を取り出してロッカー扉２ａを閉めると状態表示ＬＥＤ２５が緑色の点灯に変わる。
【００２２】
第２モード（携帯電話）：この第２モードでは、第１モードと同様に利用者が「預け入れ」を選択して荷物の投入及び施錠スイッチ２３を押し、「携帯電話」を選択する。これにより、操作表示部１２ａに、携帯電話機Ｔにおいてアプリケーション（ロッカー利用アプリ）を起動して「ロッカーと通信」を選択するように促す表示が行われる。そこで、携帯電話機Ｔを集中制御装置１の赤外線受信部１４ａにかざして通信を行うと、該携帯電話機ＴのユーザーＩＤ、チャージデータ、電話番号等の各種情報が集中制御装置１側で読み取られる。そして、チャージデータの金額が利用料金以上であれば、そのチャージデータから利用料金を引き落としてチャージデータを書き換え、錠装置２１が本施錠される。このとき、集中制御装置１からユーザーＩＤ及びロッカー番号に対応する解錠番号（請求項の「解錠コード」に対応する）が送信され、この解錠番号が携帯電話機Ｔに記憶される。なお、この動作は上記ロッカー利用アプリの制御による。また、本施錠されると、状態表示ＬＥＤ２５は前記同様に赤色の点灯に変わり、使用状態を表示するとともに、レシートが発行される。
【００２３】
一方、チャージデータの金額が利用料金未満（あるいは０円）であれば、不足金額を表示するとともに、料金を投入するように案内する表示が行われる。そして、硬貨投入口１６ａから硬貨を投入するか、紙幣投入口１５ａから紙幣を投入すると錠装置２１が施錠され、上記解錠番号が携帯電話機Ｔに送信される。また、本施錠すると状態表示用ＬＥＤ２５が赤色の点灯に変わり、レシートが発行される。このとき、お釣りの金額（釣り金額）があれば、釣り銭を現金で払い出すか、携帯電話機Ｔに対してチャージするかの選択画面が表示され、現金を選択すれば硬貨返却口１６ｂから釣り銭が払い出され、チャージを選択すれば携帯電話機Ｔに釣り銭相当の金額がチャージされる。
【００２４】
解錠操作をするときは、操作表示部１２ａの初期画面で「取り出し」を選択するとともに、次の画面で「携帯電話」を選択する。そして、携帯電話機Ｔを赤外線受信部１４ａにかざして通信すると、前記同様集中制御装置１でユーザーＩＤ、チャージデータ、解錠番号、電話番号等の各種情報が読み取られ、所定の利用時間内であれば錠装置２１が解錠されて状態表示用ＬＥＤ２５が赤の点滅となる。追加料金が発生している場合には、前記ユーザーＩＤが読み取られた後、操作表示部１２ａに追加の料金支払いを案内する表示が行われる。そして、追加の料金を投入するとレシートと領収書が発行されるとともに、錠装置２１が解錠され、状態表示用ＬＥＤ２５が赤の点滅となる。後は前記同様に荷物を取り出してロッカー扉２ａを閉めると状態表示ＬＥＤ２５が緑色の点灯に変わる。なお追加の料金を投入してお釣りの金額がある場合も、前記同様に、釣り銭の払い出しまたはチャージの選択を行うことができる。
【００２５】
第３モード：利用者が「預け入れ」を選択して荷物の投入及び施錠スイッチ２３を押し、「ＩＣカード」を選択する。これにより、利用者が非接触ＩＣカードＣを集中制御装置１のアンテナ部１３ａにかざすと、その非接触ＩＣカードＣのＩＤコードが集中制御装置１側で読み取られ、操作表示部１２ａに利用料金と利用料金を投入するように案内する表示が行われる。料金を硬貨投入口１６ａあるいは紙幣投入口１５ａから投入すると錠装置２１が施錠され、状態表示用ＬＥＤ２５が赤色の点灯に変わり、レシートと領収書が発行される。
【００２６】
解錠操作をするときは、操作表示部１２ａで「取り出し」及び「ＩＣカード」を選択する。そして、非接触ＩＣカードＣをアンテナ部１３ａにかざすと、前記同様ＩＤコードが読み取られ、所定の利用時間内であれば錠装置２１が解錠されて、状態表示用ＬＥＤ２５が赤の点滅となる。そして、ロッカー扉２ａを開いて荷物を取り出し、ロッカー扉２ａを閉めると、状態表示ＬＥＤ２５が緑色の点灯に変わり、空き状態を表示する。なお、時間超過による追加料金が発生している場合には、前記ＩＤコードが読み取られた後、操作表示部１２ａに追加の料金投入を案内する表示が行われ。そして、追加の料金を硬貨投入口１６ａあるいは紙幣投入口１５ａから投入すると、レシート及び領収書が発行されるとともに、錠装置２１が解錠され、状態表示用ＬＥＤ２５が赤の点滅となる。後は上記同様に荷物を取り出してロッカー扉２ａを閉めると状態表示ＬＥＤ２５が緑色の点灯に変わる。
【００２７】
なお、各モードにおいて、施錠／解錠の対象とするロッカーボックス２は、暗証番号（第１モード）、携帯電話機ＴのユーザーＩＤに対応する解錠番号（第２モード）、非接触ＩＣカードＣのＩＤコード（第３モード）と、それぞれ対応付けられており、解錠操作のとき、集中制御装置１において、これらの暗証番号、解錠番号、ＩＤコードを確認し、認証されれたその暗証番号、解錠番号、あるいはＩＤコードに対応する対象ロッカーボックス２を特定し、解錠を行っている。
【００２８】
図４は、携帯電話機Ｔにより実施形態の貸しロッカーシステムを利用するときの動作及び操作の一例を概念的に示す図である。なお、図４において携帯電話機（Ａ）、別の携帯電話機（Ｂ）は、何れも携帯電話機Ｔと同様であるが、この説明においては、符号「Ｔ」を適宜省略する。
【００２９】
携帯電話機（Ａ），（Ｂ）は、ワイヤレス公衆パケット回線１００を介してインターネット等のネットワークに接続することができ、サーバ２０に接続してユーザー名、ユーザーメールアドレス等を送信する。そして、前記のようにロッカー利用アプリをサーバ２０からダウンロードする。このとき携帯電話機（Ａ）にはその携帯電話機（Ａ）（及びそのユーザー）に対して固有のユーザーＩＤが設定される。また、携帯電話機（Ｂ）にはその携帯電話機（Ｂ）（及びそのユーザー）に対して固有のユーザーＩＤが設定される。
【００３０】
いま、携帯電話機（Ａ）で荷物を預けるとすると、携帯電話機（Ａ）から集中制御装置１に対して、ユーザーＩＤ、チャージデータが送信され、集中制御装置１はこのユーザーＩＤとチャージデータを読み取る。集中制御装置１は、前記のように荷物が預けいれられると、利用料金を引き落としたり、お釣りをチャージした追加処理後のチャージデータ、荷物が預け入れられたロッカーボックスに対応する解錠番号、及びそのボックス番号（ＮＯ．）を携帯電話機（Ａ）に送信する。携帯電話機（Ａ）では、チャージデータを更新するとともに、解錠番号及びボックス番号を記憶する。なお、これらのデータの授受は暗号化されたデータとして通信処理をし、セキュリティを確保する。
【００３１】
次に、携帯電話機（Ａ）のユーザーが携帯電話機（Ｂ）のユーザーに、荷物の取り出しを委託する場合、携帯電話機（Ａ）から携帯電話機（Ｂ）に対して電子メールにより解錠番号とボックス番号の情報を送信する。このとき、携帯電話機（Ａ）のロッカー利用アプリの機能により解錠番号に対してメール転送フラグ（請求項３の「転送フラグ」に相当する）が付加される。このメール転送フラグは、当該解錠番号が電子メールにより転送されたものであることを示すものであり、解錠番号の転送先（この例では携帯電話機（Ａ））のユーザーが荷物の取り出しを委託した（許可した）ことをも示している。
【００３２】
そして、取り出し時には、携帯電話機（Ｂ）のユーザーが携帯電話機（Ｂ）により集中制御装置１とで通信を行う。携帯電話機（Ｂ）から、この携帯電話機（Ｂ）のユーザーＩＤ、チャージデータ、解錠番号とメール転送フラグ、ボックス番号を送信する。集中制御装置１は、こららのデータを読み取って、解錠制御を行う。まず、読み取ったロッカー番号に対応してい記憶しているユーザーＩＤ（ＡのユーザーＩＤ）と、読み取ったユーザーＩＤとが一致するかを判定する。一致すれば、携帯電話機（Ａ）によって解錠を行おうとしていることになるので、解錠番号により、ロッカー番号に対応するロッカーボックスを解錠する。一方、ユーザーＩＤが一致しなければ、解錠番号にメール転送フラグが付加されているか否かを判定し、メール転送フラグが付加されていれば、ユーザーＩＤを保存し、ユーザーＩＤの照合結果を無視して、解錠番号により対応するロッカー番号のロッカーボックスを解錠する。ここで、ユーザーＩＤを保存するのは別の利用者が解錠したことを預け入れた利用者に確認させるためである。これにより、携帯電話機（Ｂ）で解錠操作をし、ユーザーＩＤが集中制御装置１に記憶されているユーザーＩＤと一致しなくても、ロッカーボックスを解錠することができる。
【００３３】
なお、サーバ２０へアクセスするためのネットワーク接続アドレスを、集中制御装置１に設定しておくことにより、利用者は、ロッカーの利用直前にアドレスを取得してサーバ２０にアクセルすることもできる。この場合には、集中制御装置１の操作表示部１２ａの初期画面に「アドレス取得」等の画面表示を行い、利用者は「アドレス取得」を選択することにより、アドレスを入力する手間を省くことができる。
【００３４】
図５は集中制御装置１のコンピュータ１０における制御プログラムの預け入れ処理の要部フローチャート、図６は同制御プログラムの取り出し処理の要部フローチャートであり、同フローチャートを参照しながら動作を説明する。図５の処理は図示しないメイン処理において「預け入れ」を選択したとき起動されるサブルーチンであり、図６の処理はメイン処理において「取り出し」を選択したとき起動されるサブルーチンである。なお、これらのフローチャートは主に第２モード（携帯電話）の処理を示している。
【００３５】
図５の預け入れ処理では、ステップＳ１及びステップＳ２で施錠スイッチ２３がＯＮされるのを監視し、ＯＮされずに所定時間経過するとステップＳ２からメインルーチンに復帰する。施錠スイッチ２３がＯＮされると、ステップＳ３で錠装置２１を仮施錠し、ステップＳ４で、操作表示部１２ａにおいて第１〜第３モードのいずれのモードが選択されるかを判定する。第１モードが選択されればステップＳ５で暗証番号の処理（第１モードの処理）を行い、第２モードが選択されればステップＳ６で利用料金を表示してステップＳ８に進む。第３モードが選択されればステップＳ７でＩＣカードの処理（第３モードの処理）を行う。
【００３６】
なお、ステップＳ５の暗証番号の処理では、利用料金の表示、利用料金の投入有無の判定、投入があれば錠装置２１の施錠、状態表示用ＬＥＤ２５の点灯、暗証番号を印刷したレシートと領収書の発行等の処理を行う。また、ステップＳ７のＩＣカードの処理では、非接触ＩＣカードＣからのＩＤコードの読み取り、上記同様に利用料金の表示、利用料金の投入有無の判定、錠装置２１の施錠、状態表示用ＬＥＤ２５の点灯、レシートと領収書の発行等の処理を行う。
【００３７】
第２モードで利用料金を表示すると、ステップＳ８で、携帯電話機Ｔとの赤外線通信を行い、携帯電話機ＴのユーザーＩＤ、チャージデータ、電話番号等の各種情報を読み取り、ユーザーＩＤの確認とチャージデータの確認を行う。次に、ステップＳ９でチャージデータの金額（チャージ金額）が利用料金以上であるか否かを判定する。チャージ金額が利用料金以上であれば、ステップＳ１０でチャージ金額を表示するとともに、チャージされている電子現金での支払いを行うか（チャージでの支払い）を確認する表示を行う。そして、ステップＳ１１でチャージでの支払いの指示がなければ、ステップＳ１２で錠装置２１を解錠してメインルーチンに復帰（キャンセル）し、ステップＳ１１でチャージでの支払いの指示があれば、ステップＳ１３で、携帯電話機Ｔとの赤外線通信を行い、利用料金をチャージデータから引き落とし（携帯電話機Ｔのチャージデータを書き換える。）、ステップＳ１４に進む。ステップＳ１４では、錠装置２１を本施錠するとともに、該ロッカーボックスに対して解錠番号を生成し、該読み取ったユーザーＩＤに対して解錠番号と該ロッカーボックスのボックス番号とを対応付けて登録（記憶）する。そして、メインルーチンに復帰する。
【００３８】
ステップＳ９でチャージ金額が利用料金以上でなければ、ステップＳ１５で、利用料金に対しての不足金額と、料金を投入を依頼する表示を行い、ステップＳ１６でタイマーをスタートさせる。そして、ステップＳ１７及びステップＳ１８で料金が投入されるのを監視し、料金が投入されずに所定時間経過するとステップＳ１８からメインルーチンに復帰する。所定時間内に不足金額以上の料金が投入されると、ステップＳ１９で、つり銭があるか（つり銭が生じているか）を判定し、つり銭がなければ（不足金額丁度であれば）、ステップＳ２０で支払いの指示があるかを判定する。支払いの指示がなければメインルーチンに復帰し、支払いの指示があれば、ステップＳ１４で錠装置２１を本施錠し、解錠番号、ユーザーＩＤ、ロッカー番号を登録し、メインルーチンに復帰する。
【００３９】
ステップＳ１９でつり銭があれば、ステップＳ２１でつり銭処理の選択を行うための表示（つり銭処理選択表示）を行い、チャージ処理にするか現金処理にするかの選択処理（利用者による選択の受付処理）をする。そして、ステップＳ２２及びステップＳ２３でチャージ処理と現金処理のいずれが選択されたかを判定し、いずれも選択されなければメインルーチンに復帰する。チャージ処理が選択されれば、ステップＳ２４で携帯電話機Ｔとの赤外線通信を行い、つり銭を携帯電話機Ｔにチャージし（携帯電話機Ｔのチャージデータを書き換える。）、ステップＳ１４で錠装置２１を本施錠してメインルーチンに復帰する。現金処理が選択されっれば、ステップＳ２５で携帯電話機Ｔのチャージデータをゼロに書き換えるとともにつり銭を払い出して、ステップＳ１４で錠装置２１を本施錠してメインルーチンに復帰する。これにより、つり銭を現金で受け取って、チャージ金額をゼロに精算することができる。また、チャージ処理により現金のつり銭を持たずにチャージしておくこともできる。
【００４０】
図６の取り出し処理では、ステップＳ３１で、操作表示部１２ａにおいて第１〜第３モードのいずれのモードが選択されるかを判定する。第１モードが選択されればステップＳ３２で暗証番号の処理（第１モードの処理）を行い、第２モードが選択されればステップＳ３４に進む。第３モードが選択されればステップＳ３３でＩＣカードの処理（第３モードの処理）を行う。
【００４１】
なお、ステップＳ３２の暗証番号の処理では、ロッカー番号と暗証番号の入力画面の表示、ロッカー番号と暗証番号の入力受付及び確認等を行い、入力されたロッカー番号に対応する暗証番号であると確認されたら、錠装置２１の解錠、状態表示用ＬＥＤ２５の点灯等の処理を行う。また、ステップＳ３３のＩＣカードの処理では、非接触ＩＣカードＣからのＩＤコードの読み取り、ＩＤコードの確認、ＩＤコードに対応するロッカーの錠装置２１の解錠、状態表示用ＬＥＤ２５の点灯等の処理を行う。
【００４２】
第２モードが選択されると、ステップＳ３４で、携帯電話機Ｔとの赤外線通信を行い、携帯電話機ＴのユーザーＩＤ、解錠番号、ロッカー番号、チャージデータ、電話番号等の各種情報を読み取る。次に、ステップＳ３５で、読み取ったロッカー番号に対応して記憶されているユーザーＩＤと読み取ったユーザーＩＤとが一致するかを判定する。一致すれば、ステップＳ３８に進み、一致しなければ、ステップＳ３６で読み取った解錠番号にメール転送フラグが付加されているか否かを判定する。そして、メール転送フラグが付加されていなければそのままメインルーチンに復帰し、メール転送フラグが付加されていれば、別の利用者が解錠したことを後で確認できるように、ステップＳ３７でその読み取ったユーザーＩＤを保存し、ステップＳ３８に進む。
【００４３】
ステップＳ３８では、超過料金が発生しているかを判定し、超過料金が発生していなければステップＳ３９でＩＤコードに対応するロッカーの錠装置２１を解錠してメインルーチンに復帰する。超過料金が発生していれば、ステップＳ４０で、チャージ金額が超過料金以上であるか否かを判定する。チャージ金額が超過料金以上であれば、ステップＳ４１でチャージ金額を表示するとともに、チャージでの支払いを確認する表示を行う。そして、ステップＳ４２でチャージでの支払いの指示がなければ、そのままメインルーチンに復帰し、ステップＳ４２でチャージでの支払いの指示があれば、ステップＳ４３で、携帯電話機Ｔとの赤外線通信を行い、超過料金をチャージデータから引き落とし（携帯電話機Ｔのチャージデータを書き換える。）、ステップＳ３９でＩＤコードに対応するロッカーの錠装置２１を解錠し、当該ロッカーボックスに対応する、ユーザーＩＤ、解錠番号、ロッカー番号を登録から消去してメインルーチンに復帰する。
【００４４】
ステップＳ４０でチャージ金額が超過料金以上でなければ、ステップＳ４４で、超過料金に対しての不足金額と、料金を投入を依頼する表示を行い、ステップＳ４５でタイマーをスタートさせる。そして、ステップＳ４６及びステップＳ４７で料金が投入されるのを監視し、料金が投入されずに所定時間経過するとステップＳ４７からメインルーチンに復帰する。所定時間内に不足金額以上の料金が投入されると、ステップＳ４８で、つり銭があるか（つり銭が生じているか）を判定する。以下、ステップＳ４８〜Ｓ５４の処理は図５のステップＳ１９〜Ｓ２５と同様の処理であり、つり銭を携帯電話機Ｔへチャージするチャージ処理、つり銭を現金での払い出す現金処理を行う。また、この現金処理を行ったときに、チャージ金額はゼロとなることも同様である。
【００４５】
以上のように、荷物の預け入れ時に解錠番号とロッカー番号とを携帯電話機で取得し、この解除番号にメール転送フラグを付加してロッカー番号と共に別の携帯電話機に転送し、その別の携帯電話機でロッカーを解錠できるので、荷物の取り出しを容易に別の人に委託することができる。
【００４６】
以上の説明では、１台の携帯電話機で利用している１つのロッカーボックスの荷物の取り出しを別の人に委託する例について説明したが、１台の携帯電話機で複数のロッカーボックスを利用し、各ロッカーボックス内の荷物を複数の人に取り出させるようにすることもできる。この場合も、メール転送フラグを付加した解錠番号とロッカー番号を、所望の人に個々に電子メールで送信すればよい。
【００４７】
以上の実施形態では、携帯端末装置が携帯電話機である場合について説明したが、そのたの携帯型データ処理装置などで同様な処理を行ってもよい。
【図面の簡単な説明】
【００４８】
【図１】本発明の実施の形態の貸しロッカーシステムの外観正面図である。
【図２】実施形態における集中制御装置の要部ブロック図である。
【図３】実施形態の携帯電話機及び非接触ＩＣカードを用いる場合の通信システムを概念的に示す要部ブロック図である。
【図４】実施形態の貸しロッカーシステムを利用するときの動作及び操作の一例を概念的に示す図である。
【図５】実施形態における預け入れ処理のフローチャートである。
【図６】実施形態における取り出し処理のフローチャートである。
【符号の説明】
【００４９】
１      集中制御装置
２      ロッカーボックス
１０    制御ユニット
１２ａ  操作表示部
１４ａ  赤外線受信部
２１    錠装置
Ｔ      携帯電話機
【図１】
2005314945.tif 000003
【図２】
2005314945.tif 000004
【図３】
2005314945.tif 000005
【図４】
2005314945.tif 000006
【図５】
2005314945.tif 000007
【図６】
2005314945.tif 000008